(57)【要約】【課題】不定形原稿から不要な余白データを排除して画像データを読み取り、当該画像データに対して簡便に画像編集を行なうことが可能なキャリアシート、及び、当該キャリアシートに対応して画像の自動編集が可能な画像形成装置を提供する。【解決手段】少なくとも一辺が固定された一対のシート９０ａ、９０ｂの間に原稿を挟み込むキャリアシート９０に、不定形の原稿片９００を挟み込む領域表示枠９１と、前記領域表示枠９１に挟み込まれた原稿片９００に対する複写モードを指定する指標９２を備える。【選択図】図１
2009105572.tif 000002
【特許請求の範囲】
【請求項１】
少なくとも一辺が固定された一対のシートの間に原稿を挟み込むキャリアシートであって、不定形の原稿片を挟み込む領域表示枠と、前記領域表示枠に挟み込まれた原稿片に対する複写モードを指定する指標を備えたキャリアシート。
【請求項２】
前記指標は少なくとも前記領域表示枠の位置及びサイズ情報と集約編集モード情報を含むコード情報で構成されている請求項１記載のキャリアシート。
【請求項３】
前記指標が光学的に読取可能な形態で表示され、または、前記指標が格納されたＩＣタグが組み込まれている請求項１または２記載のキャリアシート。
【請求項４】
請求項１から３の何れかに記載されたキャリアシートを搬送する原稿搬送部と、前記原稿搬送部により搬送されたキャリアシートの原稿情報を読み取る画像読取部と、前記指標を読み取る指標読取部と、前記指標読取部で読み取られた複写モードで複写する複写制御部を備えて構成される画像形成装置。
【請求項５】
複写モードを設定する操作部を備え、前記複写制御部は前記操作部で設定された複写モードと前記指標読取部で読み取られた複写モードが一致するときに、前記指標読取部で読み取られた複写モードで複写する請求項４記載の画像形成装置。
【請求項６】
複写モードを設定する操作部を備え、前記複写制御部は前記操作部で設定された複写モードと前記指標読取部で読み取られた複写モードが不一致のときに、前記指標読取部で読み取られた複写モードに関わらず、前記操作部で設定された複写モードで複写する請求項４記載の画像形成装置。
【発明の詳細な説明】
【技術分野】
【０００１】
本発明は、少なくとも一辺が固定された一対のシートの間に原稿を挟み込むキャリアシート、及び、当該キャリアシートに挟み込まれた原稿片の原稿画像を複写する画像形成装置に関する。
【背景技術】
【０００２】
従来、Ａ４サイズやＢ５サイズ等の定型サイズの原稿を原稿載置部から自動的に搬送する原稿自動送り装置を備えた画像形成装置では、自動搬送可能な定型サイズより小さなサイズの定型原稿、破断しまたは歪な形状に変形した原稿などを自動的に搬送して画像を読み取るために、キャリアシートが使用される場合がある。
【０００３】
キャリアシートは一端が固定された二枚のシート部材でなり、少なくとも一枚は透明なシート部材で構成される。二枚のシート部材で不定形原稿を挟み込んで保持することにより、不定形原稿であっても自動搬送が可能となり、画像データの読み取りが可能となる。
【０００４】
このようなキャリアシートに関して従来から様々な提案がなされている。例えば、特許文献１には、キャリアシートに挟み込む原稿の位置決めが容易に行えるように、片方が透明で且つ一端部同士が固定された一対のシート部材を有し、該両シート部材間に原稿を挿入して搬送するためのキャリアシートにおいて、原稿読取範囲や原稿挿入位置等を示す指標を前記両シート部材の固定部分に型抜きの穴として形成したことを特徴とするキャリアシートが提案されている。
【０００５】
特許文献２には、原稿の両面の画像を読み取る際に、キャリアシートに原稿をセットし直さなくてもよいように、一対のフイルムシートを辺部で綴じ合わせたキャリアシートであって、一対のフイルムシートを共に透明なシートとしたことを特徴とするキャリアシートが提案されている。
【特許文献１】特開平１１−６９０７８号公報
【特許文献２】特開平１１−３２１６０号公報
【発明の開示】
【発明が解決しようとする課題】
【０００６】
画像形成装置は指定された用紙サイズと複写倍率に基づく定型サイズの原稿領域に含まれる画像データを読み取るように構成されるため、キャリアシートを使用して不定形原稿から読み取られた画像データには、不定形原稿以外の余白領域の画像データが含まれる。
【０００７】
従って、不定形原稿を挟み込んだキャリアシートから読み取った画像データをそのまま複写すると余白の多い複写画像となり、用紙が無駄に消費される。そこで、原稿片に対応した領域のみ画像出力すべく、複写倍率を拡大設定すると、用紙に複写された画像がずれて所望の出力結果が得られない場合もあった。
【０００８】
例えば、不定形原稿を挟み込んだキャリアシートから読み取った画像データに基づいて、不定形原稿に対応する画像を拡大して出力する場合には、キャリアシートへの不定形原稿の挟み込み位置が重要となり、位置合せが十分でないと、図１２（ａ）に示すように、不定形原稿の画像の一部が出力されない虞がある。
【０００９】
不定形原稿を挟み込んだ複数のキャリアシートから読み取った複数の画像データを一つの画像に集約して出力する場合には、不定形原稿からの画像データ以外の余白の画像データを含んだ画像データが縮小されて集約されるため、図１２（ｂ）に示すように、不定形原稿に対応する画像が必要以上に縮小された集約画像が出力され、画像が見辛くなるという不都合もあった。
【００１０】
本発明は、上述の問題点に鑑み、不定形原稿から不要な余白データを排除して画像データを読み取り、当該画像データに対して簡便に画像編集を行なうことが可能なキャリアシート、及び、当該キャリアシートに対応して画像の自動編集が可能な画像形成装置を提供する目的とする。
【課題を解決するための手段】
【００１１】
上述の目的を達成するため、本発明によるキャリアシートの第一の特徴構成は、特許請求の範囲の書類の請求項１に記載した通り、少なくとも一辺が固定された一対のシートの間に原稿を挟み込むキャリアシートであって、不定形の原稿片を挟み込む領域表示枠と、前記領域表示枠に挟み込まれた原稿片に対する複写モードを指定する指標を備えている点にある。
【００１２】
上述の構成によれば、所望の複写モードに対応した指標を備えたキャリアシートを選択して、当該キャリアシートの領域表示枠に納まるように原稿片を挟み込むことにより、操作部を介して複雑な設定操作を行なわなくとも、所望の複写モードで原稿片を複写することが可能となる。
【００１３】
同第二の特徴構成は、同請求項２に記載した通り、上述の第一特徴構成に加えて、前記指標は少なくとも前記領域表示枠の位置及びサイズ情報と集約編集モード情報を含むコード情報で構成されている点にある。
【００１４】
上述の構成によれば、キャリアシートに備えた指標に含まれる領域表示枠の位置及びサイズを示すコード情報により、読取対象である原稿片のキャリアシート内での領域を判読することが可能となり、指標に含まれる集約編集モード情報を示すコード情報により、原稿片の集約編集内容を判読することが可能になる。従って、例えば、画像形成装置がコード情報を判読可能に構成されていれば、当該コード情報に基づいて原稿片のみの画像データを読み取り、当該画像データを集約編集することが可能になる。
【００１５】
同第三の特徴構成は、同請求項３に記載した通り、上述の第一または第二の特徴構成に加えて、前記指標が光学的に読取可能な形態で表示され、または、前記指標が格納されたＩＣタグが組み込まれている点にある。
【００１６】
キャリアシートに備える指標の具体的形態として、光学的に読取可能な形態でキャリアシートに指標を表示し、または、キャリアシートに指標が格納されたＩＣタグを組み込むことが好ましく、公知のＯＣＲなどの読取装置や無線送受信機により適切に指標を読み取ることができる。
【００１７】
本発明による画像形成装置の第一の特徴構成は、同請求項４に記載した通り、請求項１から３の何れかに記載されたキャリアシートを搬送する原稿搬送部と、前記原稿搬送部により搬送されたキャリアシートの原稿情報を読み取る画像読取部と、前記指標を読み取る指標読取部と、前記指標読取部で読み取られた複写モードで複写する複写制御部を備えて構成される点にある。
【００１８】
原稿搬送部により原稿片が挟まれたキャリアシートが搬送され、画像読取部により原稿片の画像が読み取られ、指標読取部により指標が読み取られる。そして、複写制御部により指標に基づいた複写が実行される。例えば、指標が領域表示枠の位置及びサイズ情報と集約編集モード情報を含むコード情報で構成される場合には、領域表示枠内に配置された原稿片の画像が適切に読み取られ、コード情報で指定される集約編集モードで複写が行なわれるようになる。
【００１９】
同第二の特徴構成は請求項５に記載した通り、上述の画像形成装置の第一の特徴構成に加えて、複写モードを設定する操作部を備え、前記複写制御部は前記操作部で設定された複写モードと前記指標読取部で読み取られた複写モードが一致するときに、前記指標読取部で読み取られた複写モードで複写する点にある。
【００２０】
上述の構成によれば、指標読取部で読み取られた複写モードが操作部で設定された複写モードと一致するときに、指標読取部で読み取られた複写モードで複写されるため、複数の複写モードに対応して複数のキャリアシートが存在する場合であっても、所望の複写モードに対応したキャリアシートが適切に選択されているか否かが容易に判別できる。
【００２１】
同第三の特徴構成は請求項６に記載した通り、上述の画像形成装置の第一の特徴構成の何れかに加えて、複写モードを設定する操作部を備え、前記複写制御部は前記操作部で設定された複写モードと前記指標読取部で読み取られた複写モードが不一致のときに、前記指標読取部で読み取られた複写モードに関わらず、前記操作部で設定された複写モードで複写する点にある。
【００２２】
指標読取部で読み取られた複写モードが操作部で設定された複写モードと一致しないときには、操作部で設定された複写モードが優先されるため、意図に反する指標を備えたキャリアシートが選択されたときであっても、所望の複写が得られるようになる。
【発明の効果】
【００２３】
以上説明した通り、本発明によれば、不定形原稿から不要な余白データを排除して画像データを読み取り、当該画像データに対して簡便に画像編集を行なうことが可能なキャリアシート、及び、当該キャリアシートに対応して画像の自動編集が可能な画像形成装置を提供することができるようになった。
【発明を実施するための最良の形態】
【００２４】
以下に、本発明が適用されたキャリアシートと画像形成装置の一例であるデジタル複写機の実施形態を説明する。
【００２５】
図２に示すように、デジタル複写機１０は、オペレータとのマンマシンインタフェースである操作部２０と、原稿画像を読み取り光電変換して得られる入力画像データから出力画像データを生成する原稿読取部３０と、原稿読取部３０で生成された画像データに基づいてトナー像を形成し、当該トナー像を用紙に転写して定着した後、出力する画像形成部４０等の機能ブロックを備えている。
【００２６】
図３に示すように、操作部２０は、デジタル複写機１０の複写モードを表示するとともに、ソフトウェアキーでなる操作キーが配置された操作画面等を表示するタッチパネル式の液晶表示部２１と、デジタル複写機１０の動作状態を表示するＬＥＤ２２と、数値キー２３ａやプリントキー２３ｂなどのハードウェアキー２３でなる操作キーと、それらを制御する操作制御部を備えている。
【００２７】
図４に示すように、原稿読取部３０は、原稿給紙台３１１に載置された原稿Ｄを搬送し、画像データが読み取られた原稿を排出する原稿搬送部３１と、原稿の表面を読み取る第一画像読取部３２と、原稿の裏面を読み取る第二画像読取部３３と、それらを制御する原稿読取制御部を備えている。
【００２８】
原稿搬送部３１は、複数の原稿から一枚の原稿を取り出すピックアップローラ３１２と、ピックアップローラ３１２により取り出された原稿を下流側に搬送する給紙ローラ３１３と、先端を整えて画像読取位置に原稿を搬送するレジストローラ３１４と、画像データが読み取られた原稿を原稿排紙台３１６に排出する排紙ローラ３１５を備えている。
【００２９】
第一画像読取部３２は、原稿を照明する光源３２０と、原稿からの反射光を取り込む第一ミラー３２１と、第二ミラー３２２と、第三ミラー３２３と、第三ミラー３２３からの光線束をリニアＣＣＤ（第一ＣＣＤ）３２５に合焦させるレンズ３２４と、画像情報を読み取る第一ＣＣＤ３２５を備えて構成される。第二画像読取部３３は密着イメージセンサであるＣＩＳユニットで構成される。
【００３０】
画像形成部４０は、感光体と、感光体表面を一様に帯電する帯電装置と、出力画像データに基づいてレーザビームを走査して感光体表面を露光して静電潜像を形成する露光装置と、形成された静電潜像をトナー像として顕像化する現像装置などを備えた感光体ユニットをＭ（マゼンダ）、Ｃ（シアン）、Ｙ（イエロー）、Ｋ（ブラック）のトナー色毎に備えている。
【００３１】
画像形成部４０は、支持ローラにより回転駆動される転写ベルトに各感光体ユニットで形成されたトナー像を転写して重畳し、用紙収容部５０から搬送された用紙に転写ローラによりトナー像を転写し、定着ローラと加圧ローラでなる定着部によりトナー像を溶融して用紙に定着させて、当該用紙を出力するように構成され、それらを制御する画像形成制御部を備えている。
【００３２】
図５に示すように、操作部２０を制御する操作制御部２００と、原稿読取部３０を制御する原稿読取制御部３００と、画像形成部４０を制御する画像形成制御部４００は、夫々に対応する動作プログラムや制御データが格納されたＲＯＭと作業領域となるＲＡＭ等を備えたマイクロコンピュータと、インタフェース回路などの周辺回路が搭載された制御基板で構成される。
【００３３】
各制御部は、通信バスにより互いに接続され、夫々の制御に必要な制御データを他の制御部と送受信する。各制御部は、ＲＯＭに格納された動作プログラムを実行して、当該動作プログラムに規定されたアルゴリズムに基づいて、夫々の制御対象を制御する。
【００３４】
デジタル複写機１０に電源が投入されると、各マイクロコンピュータにより動作プログラムが実行され、各制御部及び各制御対象が初期設定され、複写実行が可能な状態に立ち上がり、図６に示すように、操作制御部２００により、ＲＯＭから読み出された操作画面データに基づいて複写モードを設定するソフトウェアキーが配置された操作画面が液晶表示部２１に表示される。
【００３５】
操作画面には、縮小コピーまたは拡大コピーする縮小／拡大モードや、両面コピーする両面コピーモード、後処理するステープル／パンチモードや、複数の画像を一つの画像に集約する集約編集モード等の様々な複写モードが設定可能な複数のソフトウェアキーが表示される。
【００３６】
オペレータによりソフトウェアキーが押圧されて複写モードが設定され、プリントキー２３ｂが押下されると、操作制御部２００により複写モードや複写指令が各制御部に送信され、複写動作が起動される。原稿読取制御部３００は原稿読取部３０を介して原稿から画像データを読み取り、複写モードに従って画像データを画像編集し、画像形成制御部４００は画像形成部４０を介して、原稿読取制御部３００により画像編集された画像データに基づいて、用紙にトナー像を形成する。
【００３７】
操作部２０に複写モードや複写指令が入力されると、原稿読取制御部３００は操作制御部２００から複写モードや複写指令を受け取り、ミラー走査モードまたはシートスルーモードで原稿から画像データを読み取る。
【００３８】
コンタクトガラス３２６に載置された原稿を読み取るミラー走査モードでは、光源３２０、第一ミラー３２１、第二ミラー３２２、第三ミラー３２３を原稿の先端側から後端側に走査（副走査）して、第一画像読取部３２が原稿表面から画像データを読み取る。
【００３９】
原稿給紙台３１１から搬送された原稿を読み取るシートスルーモードでは、光源３２０、第一ミラー３２１、第二ミラー３２２、第三ミラー３２３を図中実線で示された位置に固定し、コンタクトガラス３２７上の所定の画像読取位置で、第一画像読取部３２が原稿搬送部３１により搬送（副走査）される原稿の表面から画像データを読み取る。また、所定の画像読取位置で、第二画像読取部３３が原稿搬送部３１により搬送（副走査）される原稿の裏面から画像データを読み取る。
【００４０】
デジタル複写機１０にはキャリアシートが付属品として準備されている。
【００４１】
図１に示すように、キャリアシート９０は一辺が固定された一対の透明シートでなり、シート９０ａとシート９０ａの間に原稿片を挟み込むように構成される。尚、本実施形態で、キャリアシート９０は一辺が固定された一対のシートでなるものとするが、例えば、三辺が固定された一対のシート等、少なくとも一辺が固定された一対のシートで構成され、シートとシートの間に原稿を挟み込むものであればよい。
【００４２】
ここで、原稿片とは、原稿搬送部３１で搬送可能な定型の原稿サイズとは異なる不定形の原稿をいう。但し、定型サイズの原稿であっても、例えば、破れた原稿やいびつな形状の原稿や原稿搬送部３１で搬送できない小サイズの定型原稿も原稿片に含まれる。
【００４３】
キャリアシート９０には、原稿片９００を挟み込む領域表示枠９１と、領域表示枠９１に合致するように挟み込まれた原稿片９００に対する複写モードを指定する指標９２を備えている。
【００４４】
領域表示枠９１は、原稿片９００を挟み込む領域をオペレータに視覚的に表示するもので、キャリアシート９０の表面に黒色等で着色された太線で表示されている。指標９２は、文字や符号、記号、バーコードなど、光学的に読取可能な形態でキャリアシート９０の所定の位置、本実施形態ではキャリアシートの左上部に表示される。
【００４５】
指標９２は、キャリアシート９０に形成された領域表示枠９１を示す情報と、キャリアシート９０に挟み込んだ原稿片９００の画像の複数を一つの画像に集約して出力する複写モード情報等、領域表示枠９１の位置及びサイズ情報と集約編集モード情報を含むコード情報で構成されている。
【００４６】
オペレータが、原稿片９００のサイズに対応するサイズの領域表示枠９１と、所望の複写モードの情報を含む指標９２を備えたキャリアシート９０を選択し、原稿片９００を挟み込んで原稿給紙台３１１に載置してプリントキー２３ｂを押下すると、デジタル複写機１０はシートスルーモードでキャリアシート９０から原稿片９００の画像データを読み取って複写を行う。
【００４７】
尚、キャリアシート９０は夫々の指標９２に含まれる複写モードに基づいて分類されて管理されており、オペレータは所望の複写モードで複写したいときに使用するキャリアシート９０を容易に選択することができる。例えば、指標９２に含まれる複写モード毎に専用のトレイを用意し、当該トレイに対応するキャリアシート９０を格納することで、キャリアシート９０を複写モード毎に管理することができる。
【００４８】
原稿搬送部３１により搬送されたキャリアシート９０の指標９２は第一画像読取部３２または第二画像読取部３３により読み取られ、原稿読取制御部３００によって判読される。
【００４９】
つまり、原稿読取制御部３００にＯＣＲ（Optical Character Reader：光学式文字読取装置）またはＯＭＲ（Optical Mark Reader：光学式マーク読取装置）としての機能が備わっている。即ち、原稿読取制御部３００は本発明の指標読取部として機能する。
【００５０】
原稿読取制御部３００には、図７（ａ）に示すように、指標９２の形態（図７（ａ）では大文字のアルファベットでなる。）毎に対応するコード情報（領域表示枠９１の位置及びサイズ情報と、集約編集モード情報を含む複写モード情報）が記録された指標テーブル３０１を備えている。
【００５１】
具体的には、指標テーブル３０１は、原稿読取制御部３００のＲＯＭに格納されている。原稿読取制御部３００は、指標テーブル３０１を参照して、判読した指標９２に対応するコード情報を取得する。
【００５２】
取得したコード情報に基づいて、原稿読取制御部３００は、第一画像読取部３２または第二画像読取部３３に、キャリアシート９０の領域表示枠９１に挟み込まれた原稿片９００の画像データのみ、即ち、領域表示枠９１の黒色の太線を含むことなく、原稿片９００から原稿情報のみを読み込ませる。
【００５３】
例えば、コード情報に含まれる複写モード情報に、原稿の表面と裏面から画像データを読み取る両面原稿モードの情報が含まれるとき、第一画像読取部３２により領域表示枠９１に挟み込まれた原稿片９００の表面の画像データが読み取られ、第二画像読取部３３に挟み込まれた原稿片９００の裏面の画像データが読み取られる。
【００５４】
また、コード情報に含まれる複写モード情報の集約編集モード情報に基づいて、原稿読取制御部３００は、画像読取部により読み取られた複数の画像データを集約編集モードで指定された枚数ずつ集約し、出力用の画像データを生成する。
【００５５】
例えば、領域表示枠９１のサイズがキャリアシート９０を六等分するものであり、取得したコード情報に含まれる複写モード情報の集約編集モード情報が六つの画像データを一つの画像データに集約するものであるとき、図７（ｂ）に示すように、原稿読取制御部３００は、原稿片が配置された枠内の画像データ六枚を等倍で読み取り、等倍で一つに集約した画像データを生成する。尚、図７（ｂ）では、画像読取部により読み取られた三枚の原稿片の表面と裏面の画像データが集約された場合が示されている。
【００５６】
原稿読取制御部３００は、コード情報に含まれる複写モード情報を操作制御部２００に出力する。
【００５７】
操作制御部２００は操作部２０で設定された複写モードと指標読取部で読み取られた複写モードが一致するときに、指標読取部で読み取られた複写モードに設定する。
【００５８】
また、操作制御部２００は操作部２０で設定された複写モードと指標読取部で読み取られた複写モードが不一致のときに、指標読取部で読み取られた複写モードに関わらず、操作部２０で設定された複写モードに設定する。
【００５９】
指標読取部により、指標９２からコード情報を取得できないとき、操作制御部２００は、操作部２０で設定された複写モードに設定し、画像読取部３０で読み取られた画像データが当該複写モードで複写される。即ち、操作制御部２００と画像形成制御部４００により本発明の複写制御部５００が構成される。
【００６０】
以下に、シートスルーモードで複写する際のデジタル複合機１０の動作について、図８に示すフローチャートを用いて説明する。
【００６１】
尚、キャリアシート９０が備える指標９２には複写モード情報として集約編集モード情報が含まれているものとする。
【００６２】
領域表示枠９１に原稿片が挟み込まれたキャリアシート９０、または、キャリアシート９０以外の原稿が原稿給紙台３１１に載置され、プリントキー２３ｂが押下されると、キャリアシート９０または原稿から指標９２の配置される位置の情報が指標読取部により読み取られ、指標９２があれば原稿読取制御部３００により本発明のキャリアシート９０であると判断され、指標９２がなければ原稿読取制御部３００によりキャリアシート９０以外の原稿である判断される（Ｓ１）。
【００６３】
＜本発明のキャリアシート９０以外の原稿であると判断されたとき＞
操作部２０で両面原稿モードが設定されていると、第一画像読取部３２及び第二画像読取部３３により原稿全体の表面及び裏面の画像が読み取られる。両面原稿モードが設定されていなければ、第一画像読取部３２（第二画像読取部３３）により原稿全体の表面（裏面）の画像が読み取られる。原稿読取部３０により原稿給紙台３１１に載置された全ての原稿の画像データが読み取られるまで、ステップＳ２からステップＳ５までの動作が繰り返される（Ｓ２〜Ｓ５）。
【００６４】
全ての原稿の画像データの読み取りが終了すると、操作部２００で設定された複写モードで画像形成部４０による画像形成が開始される。操作部２０で両面コピーモードが設定されていると、画像形成制御部４００は原稿読取部３０で読み取られた画像データを画像形成部４０に両面コピーさせ、両面コピーモードが設定されていなければ、片面コピーさせる（Ｓ６〜Ｓ８）。
【００６５】
よって、原稿給紙台３１１に載置された原稿が、指標９２を備えず、原稿を挟み込む領域表示枠９１を備えるキャリアシートであり、領域表示枠９１に原稿片が挟み込まれているとき、領域表示枠を示す黒色の太線を含んだ原稿片の画像が複写された用紙がデジタル複写機１０から出力される。
【００６６】
＜本発明のキャリアシート９０であると判断されたとき＞
操作部２０で両面原稿モードが設定されていると、第一画像読取部３２及び第二画像読取部３３により領域表示枠９１から原稿片の表面及び裏面の画像が読み取られる。操作部２０で両面原稿モードが設定されていなければ、第一画像読取部３２（第二画像読取部３３）により領域表示枠９１から原稿片の表面（裏面）の画像が読み取られる。原稿読取部３０により原稿給紙台３１１に載置された全てのキャリアシート９０から原稿片の画像データが読み取られるまで、ステップＳ９からステップＳ１２までの動作が繰り返される（Ｓ９〜Ｓ１２）。
【００６７】
全てのキャリアシート９０から原稿片の画像データの読み取りが終了すると、操作制御部２０に設定された複写モードで画像形成部４０による画像形成が開始される。
【００６８】
＜操作部２０で集約編集モードが設定されていないとき＞
操作部２０で集約編集モードが設定されておらず（Ｓ１３）、両面コピーモードが設定されていると、操作制御部２００は複写モードを両面コピーモードに設定し、画像形成制御部４００は原稿読取部３０で読み取られた画像データを画像形成部４０に両面コピーさせる。操作部２０で集約編集モードが設定されておらず（Ｓ１３）、両面コピーモードが設定されていなければ、操作制御部２００は複写モードを片面コピーモードに設定し、画像形成制御部４００は画像形成部４０に片面コピーさせる（Ｓ６〜Ｓ８）。
【００６９】
よって、領域表示枠９１を示す黒色の太線を含まない原稿片の画像が等倍で複写された用紙がデジタル複写機１０から出力される。
【００７０】
＜操作部２０で集約編集モードが設定されているとき＞
操作部２０で集約編集モードが設定されており（Ｓ１３）、両面コピーモードが設定されていると、操作制御部２００は複写モードを集約編集モード及び両面コピーモードに設定し、原稿読取制御部３００は原稿読取部３０で読み取られた画像データを集約編集し、画像形成制御部４００は原稿読取制御部３００により集約編集された画像データを画像形成部４０に両面コピー（両面集約コピー）させる。操作部２０で集約編集モードが設定されており（Ｓ１３）、両面コピーモードが設定されていなければ、操作制御部２００は複写モードを集約編集モード及び片面コピーモードに設定し、画像形成制御部４００は原稿読取制御部３００により集約編集された画像データを画像形成部４０に片面コピー（片面集約コピー）させる（Ｓ１４〜Ｓ１７）。
【００７１】
よって、領域表示枠９１を示す黒色の太線を含まない原稿片の画像が集約されて複写された用紙がデジタル複写機１０から出力される。
【００７２】
以下、別実施形態を説明する。
【００７３】
上述の実施形態では、指標９２は少なくとも領域表示枠９１の位置及びサイズ情報と集約編集モード情報を含むコード情報で構成されているものとしたが、原稿片９００に対する複写モードのみを指定するものであってもよい。この場合、キャリアシート全体の画像データに基づいて画像出力されるが、所望の複写モードで複写することが可能となる。
【００７４】
また、指標９２の含む複写モードに集約編集モードを含まないものであってもよい。例えば、当該複写モードは、両面原稿モードや両面コピーモードなどだけで構成されるものであってもよい。
【００７５】
上述の実施形態では、指標９２の形態は、文字や符号、記号、バーコードなどでなるものとしたが、指標９２の形態は図形でなるものであってもよい。つまり、指標９２は光学的に読取可能な形態で表示され、原稿読取制御部３００で判読可能なものであれば良い。
【００７６】
なお、このとき、原稿読取制御部３００のマイクロコンピュータの備えるＲＯＭに格納された指標テーブル３０１は、図９に示すように、指標９２となる図形毎に対応するコード情報（領域表示枠９１の位置及びサイズ情報と、集約編集モード情報を含む複写モード情報）が記録されたものであればよい。
【００７７】
上述の実施形態では、キャリアシート９０は光学的に読み取り可能な形態で指標９２を表示するものとしたが、図１０に示すように、キャリアシート９０は指標９２が格納されたＩＣタグ９３が組み込まれているものであってもよい。
【００７８】
このとき、図１１に示すように、ＩＣタグ９３から情報を読み取るための電波送受信アンテナを備えたＩＣタグ読取装置３３０をデジタル複写機１０の原稿読取部３０に備えることで、指標が格納されたＩＣタグ９３が組み込まれたキャリアシート９０から指標９２を読み取ることができる。この場合、ＩＣタグ読取装置３３０は本発明の指標読取部となる。
【００７９】
具体的には、レジストローラ３０４での待機時に、ＩＣタグ読取装置３３０により、キャリアシート９０に組み込まれたＩＣタグ９３から指標９２が読み取られ、画像読取制御部３００及び操作制御部２００に送信されるものであればよい。
【００８０】
上述した実施形態では、操作制御部２００は、操作部２０で設定された複写モードと指標読取部で読み取られた複写モードが一致するときに、指標読取部で読み取られた複写モードで複写し、操作部２０で設定された複写モードと指標読取部で読み取られた複写モードが不一致のときに、指標読取部で読み取られた複写モードに関わらず、操作部２０で設定された複写モードで複写するものとして説明したが、本発明はこれに限定されるものではない。
【００８１】
例えば、操作制御部２００は、操作部２０で設定された複写モードと指標読取部で読み取られた複写モードが一致するときに、指標読取部で読み取られた複写モードで複写し、不一致の時には、複写動作を中断して、操作部２０の液晶表示部２１に当該不一致の警告を表示するものであってもよい。この場合、オペレータが選択したキャリアシートに対応した複写モードでなければ複写されないので、無駄な複写が防止できる。
【００８２】
また、操作制御部２００は、操作部２０で設定された複写モードと指標読取部で読み取られた複写モードが一致するときに、指標読取部で読み取られた複写モードで複写し、不一致の時には、操作部２０で設定された複写モードに関わらず、指標読取部で読み取られた複写モードで複写するものであってもよい。
【００８３】
この場合、オペレータは所望の複写モード情報を含む指標９２を備えたキャリアシート９０を使用することで、操作部２０で複写モードを設定することなく、不定形の原稿片から読み取った画像データに基づいて、所望の複写モードで複写することができる。
【００８４】
上述の実施形態では、画像読取制御部３００で出力画像データが編集生成される構成を示しているが、画像読取制御部３００で読み取られた入力画像データを出力画像データに編集生成する画像処理部が別途設けられるものであってもよい。
【００８５】
尚、上述した実施形態は何れも本発明の一実施例に過ぎず、当該記載により本発明の範囲が限定されるものではなく、各部の具体的構成は本発明による作用効果を奏する範囲において適宜変更設計することができることは言うまでもない。
【図面の簡単な説明】
【００８６】
【図１】キャリアシートの説明図
【図２】デジタル複写機の説明図
【図３】操作部の説明図
【図４】原稿読取部の説明図
【図５】各制御部の説明図
【図６】操作画面の説明図
【図７】（ａ）は指標テーブルの説明図、（ｂ）は原稿片の画像の集約画像データの説明図
【図８】シートスルーモードでのデジタル複写機の複写動作を説明するフローチャート
【図９】別実施形態での指標テーブルの説明図
【図１０】別実施形態でのキャリアシートの説明図
【図１１】別実施形態での原稿読取部の説明図
【図１２】（ａ）は不定形原稿を拡大出力する際の説明図、（ｂ）は不定形原稿を集約出力する際の説明図
【符号の説明】
【００８７】
２０：操作部
３１：原稿搬送部
３２：画像読取部（第一画像読取部）
３３：画像読取部（第二画像読取部）
９０：キャリアシート
９０ａ：キャリアシート（表側）
９０ｂ：キャリアシート（裏側）
９１：領域表示枠
９２：指標
２００：操作制御部
３００：指標読取部（原稿読取制御部）
４００：画像形成制御部
５００：複写制御部（操作制御部と画像形成制御部）
９００：原稿片
【図１】
2009105572.tif 000003
【図２】
2009105572.tif 000004
【図３】
2009105572.tif 000005
【図４】
2009105572.tif 000006
【図５】
2009105572.tif 000007
【図７】
2009105572.tif 000008
【図８】
2009105572.tif 000009
【図９】
2009105572.tif 000010
【図１０】
2009105572.tif 000011
【図１１】
2009105572.tif 000012
【図１２】
2009105572.tif 000013
【図６】
2009105572.tif 000014